(57)【要約】【課題】  荷物の嵩が高い場合や幌骨を取り付ける場合に、シートを繰り出したり、巻き取ったりする際に、シートが荷物や幌骨に擦れることがないようにして、シートが破れたり、荷物や幌骨が傷付いたりするのを防止できる荷台用シート装置の提供。【解決手段】  それぞれ独立した正逆転モータ２１，４３に連結させた前軸２と後軸４の間に複数本のベルト５を渡すと共に複数本のベルト上にシート６を取り付け、後軸でベルトを巻き取りながら、前軸に巻き取り収納されていたベルト及びシートを繰り出すことでシートを展開させ、逆にシート展開状態から前軸でベルト及びシートを巻き取りながら、後軸に巻き取られていたベルトを繰り出すことで、荷台９を開放させる状態にシートを巻き取り収納させ、荷台の前部で前記前軸の後方に支持バー３を荷台幅方向に横架させ、支持バー及び前記後軸を駆動力で昇降可能に形成した。【選択図】  図１
2006143048.tif 000002
【特許請求の範囲】
【請求項１】
貨物自動車の荷台を覆うようにシートを展開させると共に、この展開させたシートを巻き取り収納させることができるようにした荷台用シート装置であって、
荷台の前部上方に荷台幅方向に横架して前軸を軸支させると共に、荷台の後部上方に荷台幅方向に横架して後軸を軸支させ、
前軸及び後軸を、それぞれ独立した正逆転モータに連結させ、
前軸と後軸の間に複数本のベルトを渡すと共に、この複数本のベルト上にシートを取り付け、
後軸で各ベルトを巻き取りながら、前軸に巻き取り収納されていた各ベルト及びシートを繰り出すことで、荷台を覆う状態にシートを展開させるように形成させ、
このシート展開状態から前軸で各ベルト及びシートを巻き取りながら、後軸に巻き取られていた各ベルトを繰り出すことで、荷台を開放させる状態にシートを巻き取り収納させるように形成させ、
荷台の前部で前記前軸の後方に、シートの下側に位置して支持バーを荷台幅方向に横架させ、
この支持バー及び前記後軸を駆動力で昇降可能に形成したことを特徴とした荷台用シート装置。
【請求項２】
請求項１記載の荷台用シート装置において、シートにベルトの延長方向に延長した複数の筒状部を形成させ、この各筒状部内に各ベルトを挿通することで、ベルト上にシートを取り付けるように形成した荷台用シート装置。
【請求項３】
請求項１又は２記載の荷台用シート装置において、各ベルトを、前端を前軸に取り付けた前側ベルトと、後端を後軸に取り付けた後側ベルトで形成させ、前側ベルトの後端と後側ベルトの前端を着脱可能に連結させると共に、前記シートを前側ベルト上に取り付けるようにした荷台用シート装置。
【発明の詳細な説明】
【技術分野】
【０００１】
本発明は、貨物自動車の荷台を覆うようにシートを展開させると共に、この展開させたシートを、その展開状態から巻き取り収納させることができるようにした荷台用シート装置に関する。
【背景技術】
【０００２】
従来、本出願人において、貨物自動車を取り付け対象とした荷台用シート装置を提案している（特許文献１参照）。
【０００３】
この荷台用シート装置は、荷台の前部上方に荷台幅方向に横架して前軸を軸支させると共に、荷台の後部上方に荷台幅方向に横架して後軸を軸支させ、前軸及び後軸を、それぞれ独立した正逆転モータに連結させ、前軸と後軸の間に複数本のベルトを渡すと共に、この複数本のベルト上にシートを取り付け、後軸で各ベルトを巻き取りながら、前軸に巻き取り収納されていた各ベルト及びシートを繰り出すことで、荷台を覆う状態にシートを展開させるように形成させ、このシート展開状態から前軸で各ベルト及びシートを巻き取りながら、後軸に巻き取られていた各ベルトを繰り出すことで、荷台を開放させる状態にシートを巻き取り収納させるように形成させたものである。
【０００４】
この従来の荷台用シート装置は、荷物の積み下ろしを荷台の上方からクレーンを用いて行なうことができるため、荷物の積み下ろしが能率的にできるし、また、モータを利用してシートを自動的に展開させたり、その展開状態から巻き取り収納できるため、シートを広げて荷台に被せたり、逆に、広げたシートを折り畳んで収納するといった作業を能率的に行なうことができるという効果がある。
【０００５】
しかしながら、荷台に積み込む荷物の嵩が高い場合、シートを繰り出したり、巻き取ったりする際に、シートが荷物に接触すると、そのシートの繰り出しに大きな抵抗が加わり、シートの繰り出しがスムーズにできないし、また、シートが荷物に擦れてシートが破損したり、荷物が傷付いたりしてしまうといった問題が生じる。
又、荷台に幌骨を取り付けて、この幌骨の外面にシートを張るような場合においても、同様に、繰り出したシートが幌骨に接触し、シートの繰り出しがスムーズにできないし、また、シートが幌骨に擦れてシートが破損したり、幌骨が変形したりしてしまうといった問題を残していた。
【特許文献１】特開２００４−６６８６９号公報
【発明の開示】
【発明が解決しようとする課題】
【０００６】
本発明では、荷物の嵩が高い場合や幌骨を取り付ける場合に、シートを繰り出したり、巻き取ったりする際に、シートが荷物や幌骨に擦れることがないようにして、シートが破れたり、荷物や幌骨が傷付いたりするのを防止できる荷台用シート装置を提供することを課題としている。
【課題を解決するための手段】
【０００７】
上記の課題を解決するために、本発明の荷台用シート装置（請求項１）は、
貨物自動車の荷台を覆うようにシートを展開させると共に、この展開させたシートを巻き取り収納させることができるようにした荷台用シート装置であって、
荷台の前部上方に荷台幅方向に横架して前軸を軸支させると共に、荷台の後部上方に荷台幅方向に横架して後軸を軸支させ、
前軸及び後軸を、それぞれ独立した正逆転モータに連結させ、
前軸と後軸の間に複数本のベルトを渡すと共に、この複数本のベルト上にシートを取り付け、
後軸で各ベルトを巻き取りながら、前軸に巻き取り収納されていた各ベルト及びシートを繰り出すことで、荷台を覆う状態にシートを展開させるように形成させ、
このシート展開状態から前軸で各ベルト及びシートを巻き取りながら、後軸に巻き取られていた各ベルトを繰り出すことで、荷台を開放させる状態にシートを巻き取り収納させるように形成させ、
荷台の前部で前記前軸の後方に、シートの下側に位置して支持バーを荷台幅方向に横架させ、
この支持バー及び前記後軸を駆動力で昇降可能に形成した構成としている。
【０００８】
また、本発明の荷台用シート装置（請求項２）は、
請求項１記載の荷台用シート装置において、シートにベルトの延長方向に延長した複数の筒状部を形成させ、この各筒状部内に各ベルトを挿通することで、ベルト上にシートを取り付けるように形成した。
【０００９】
また、本発明の荷台用シート装置（請求項３）は、
請求項１又は２記載の荷台用シート装置において、各ベルトを、前端を前軸に取り付けた前側ベルトと、後端を後軸に取り付けた後側ベルトで形成させ、前側ベルトの後端と後側ベルトの前端を着脱可能に連結させると共に、前記シートを前側ベルト上に取り付けるようにした。
【発明の効果】
【００１０】
本発明（請求項１）の荷台用シート装置では、荷台の前部で前軸の後方に支持バーを荷台幅方向に横架させ、かつこの支持バー及び後軸を駆動力で昇降可能に形成している点に特徴がある。
【００１１】
従って、荷物の嵩が高い場合や幌骨を取り付ける場合には、支持バーと後軸を駆動力で上昇させてシートを荷物や幌骨よりも上方に持ち上げ、その状態でシートを繰り出したり、巻き取ったりすれば、シートが荷物や幌骨に擦れることがなく、楽にシートを繰り出したり、巻き取ったりすることができるし、シートが破れたり、荷物が傷ついたり、幌骨が変形したりするのを防止できる。
【００１２】
又、シートを繰り出した後は、支持バーと後軸を駆動力で下降させてシートを荷物や幌骨に被せてから展開させれば、荷物や幌骨に対してシートを簡単かつきれいに被覆させることができるし、支持バーと後軸が下降しているため、この支持バーと後軸が走行時の風圧抵抗になることはない。
又、シートを前軸に巻き取り収納した後も支持バーと後軸を駆動力で下降させれば、支持バーと後軸が走行時の風圧抵抗になることはない。
【００１３】
又、ベルトを、シートに形成した筒状部に挿通させて、ベルト上にシートを取り付けるように形成させると（請求項２）、ベルトに対するシートの取り付け、取り外しが簡単になり、シートの及びベルトの補修や交換、洗濯等が便利になる。
【００１４】
また、ベルトを、着脱可能に連結された前側ベルトと、後側ベルトで形成させると（請求項３）、シートを巻き取り収納したのち、前側ベルトと後側ベルトを連結金具で分断させて、後側ベルトを巻き取るようにすれば、荷台上には、ベルトがなくなり、荷物の積み下ろしに際し、ベルトが邪魔になることがない。
【発明を実施するための最良の形態】
【００１５】
図１は本発明の１実施例である荷台用シート装置を装備した貨物自動車の側面図、図２はその平面図、図３は支持バーを示す正面図、図４は後軸を示す正面図、図５は荷台用シート装置を示す平面図である。
【００１６】
図において、Ａは貨物自動車で、その荷台９に荷台用シート装置１が装備されている。
前記荷台９は、その後端に後扉９０、その両側端に側扉９１，９１、その前端に前板９２が設けられている。
【００１７】
前記荷台９の前部上方には、荷台幅方向に横架して前軸２が軸支されている。
この場合、前記前板９２の上面両端にフレーム９２ａを介して軸受２０，２０が取り付けられ、この軸受２０，２０間に前軸２が横架軸支されると共に、この前軸２の一端に正逆転モータ２１が連結され、この正逆転モータ２１によって正回転及び逆回転するようになっている。
【００１８】
前記荷台９の前部で前記前軸２の後方に、シート６の下側に位置して支持バー３が荷台幅方向に横架されている。
この場合、荷台９の前端部両側に油圧シリンダ３０が上下方向に伸縮するように取り付けられている。
そして、この油圧シリンダ３０，３０の上端にブラケット３１がピン３２によって車幅方向に回動可能に連結され、このブラケット３１，３１に設けた球面滑り軸受３３，３３間に支持バー３が横架軸支されている。
【００１９】
なお、前記ブラケット３１がピン３２によって車幅方向に回動可能であるため、支持バー３に車幅方法の荷重が加わった場合に、その車幅方法の荷重をブラケット３１の回動によって吸収でき、支持バー３や油圧シリンダ３０の変形等を防止できる。
【００２０】
又、前記球面滑り軸受３３は、外輪と内輪とが球面接触をするもので、これにより支持バー３は回転自在に軸支され、かつ支持バー３の撓み変形に伴なう軸受部へのラジアル方向の荷重を吸収でき、これにより支持バー３の曲げ変形、軸受や油圧シリンダ３０の損傷を防止することができるようにしている。
【００２１】
又、荷台９の後部上方に荷台幅方向に横架して後軸４が軸支されている。
この場合、荷台９の後端部両側に油圧シリンダ４０，４０が上下方向に伸縮するように取り付けられ、この油圧シリンダ４０，４０の上端間に渡された横フレーム４１の上面両端に軸受４２，４２が取り付けられ、この軸受４２，４２間に後軸４が横架軸支されると共に、この後軸４の一端に正逆転モータ４３が連結され、この正逆転モータ４３によって正回転及び逆回転するようになっている。
【００２２】
前記横フレーム４１の下面には、カーテンレール４４が取り付けられ、このカーテンレール４４にカーテンシート（図示省略）を着脱可能に取り付けるようになっている。
【００２３】
なお、前記横フレーム４１は、前記支持バー３と同様に、油圧シリンダ４０，４０の上端にブラケット４５とピン４６によって車幅方向に回動可能に連結されており、これにより後軸４に車幅方法の荷重が加わった場合に、その車幅方法の荷重をブラケット４５の回動によって吸収でき、後軸４や油圧シリンダ４０の変形等を防止できる。
【００２４】
前記支持バー３及び後軸４の昇降範囲は、その下降位置が前軸２よりも低く、その上昇位置が前軸２よりも高くなるようにさせる。
この場合、下降位置は前板９２の上面よりも低くして走行時の空気抵抗が生じないようにさせ、特に上昇位置については、図１仮想線で示すように、荷台９に取り付ける幌骨９５よりも高くなるように設定するのが好ましい。
【００２５】
前記正逆転モータ２１，４３は、その停止状態で、ロックできるように形成されたモータ（例えば、ギヤドモータ）が用いられている。
又、前記正逆転モータ２１，４３の操作レバー２１ａ，４３ａ及び油圧シリンダ３０，４０の操作レバー３０ａ，４０ａは、一人の作業者で操作できるように、荷台９の側部等に一ヶ所にまとめて配置されている。
【００２６】
前軸２と後軸４の間には、複数本（実施例では４本）のベルト５が渡され、この複数本のベルト５上にシート６が取り付けられている。
この場合、前記ベルト５は、前端を前軸２に取り付けた前側ベルト５０と、後端を後軸４に取り付けた後側ベルト５１で形成され、前側ベルト５０の後端と後側ベルト５１の前端が連結金具５２により着脱可能に連結されている。
【００２７】
なお、前記前側ベルト５０の前端は、前軸２に直接に固定され、又、後軸４にはベルト５の本数に応じた複数個（実施例では４個）の巻き取りドラム４７が取り付けられ、この巻き取りドラム４７で前記後側ベルト５１を巻き取るように形成されている。
【００２８】
前記前側ベルト５０上にシート６が取り付けられるもので、この場合、シート６の下面にベルト５の延長方向に延長した複数の筒状部６０を細幅で形成させ、この各筒状部６０内に各前側ベルト５０を挿通することで、シート６を取り付けるように形成されている。
なお、前記シート６の長さは荷台９の長さよりも長く形成され、又、その横幅も荷台９の横幅より幅広く形成されて、その展開状態で、左右両側の張出部６１，６１により荷台９を十分に覆うことができるように形成されている。
又、シート６の両側縁部分には、シート６を荷台９に被せたときの裾部分の弛みを引っ張るためのゴムバンド６２が取り付けられている。
又、シート６の前縁部及び後縁部は筒状に形成され、この筒状部６３，６３にそれぞれロープ６４，６４を通して、このロープ６４，６４を締めることでシート６の前縁部及び後縁部を絞ることができるようにしている。
【００２９】
そして、シート６で荷台９を覆う際には、正逆転モータ４３を駆動（例えば、正転）させて、後軸４で各ベルト５を巻き取りながら、同時に正逆転モータ２１を駆動（例えば、正転）させて、前軸２に巻き取り収納されていた各ベルト５及びシート６を繰り出すことで、荷台９を覆う状態にシート６を展開させるようになっている。
【００３０】
又、シート６を巻き取り収納させる際には、シート展開状態から正逆転モータ２１を駆動（例えば、逆転）させて、前軸２で各ベルト５及びシート６を巻き取りながら、同時に正逆転モータ４３を駆動（例えば、逆転）させて、後軸４に巻き取られていた各ベルト５を繰り出すことで、荷台９を開放させる状態にシート６を巻き取り収納させるようになっている。
このとき、シート６の左右両側に設けた張出部６１，６１は、垂れ下がりを防止するために、図２に示すように、上面内側に折り込んで、ベルト５と共に巻き取られるようにする。
【００３１】
このように、本実施例の荷台用シート装置１では、正逆転モータ２１，４３の駆動によるベルト５やシート６の巻き取り、繰り出しによって、シート６を荷台９上で展開させたり、逆に、巻き取り収納させることができる。
又、シート６をベルト５に取り付けたので、このベルト５の巻き取り、繰り出しに伴なってシート６を確実かつ乱れなく、巻き取り、繰り出すことができる。
従って、シート６を広げて荷台９に被せたり、広げたシート６を折り畳んで収納するといった作業を能率的に行なうことができる。
又、荷物の積み下ろしを荷台９の上方からクレーンを用いて行なうことができるため、荷物の積み下ろしが能率的に行なえる。
【００３２】
このとき、前軸２及び後軸４をそれぞれ独立した正逆転モータ２１，４３により駆動させるようにしたので、ベルト５やシート６の巻き径が変化することに伴なうベルト５やシート６の弛みや緊張を両正逆転モータ２１，４３により調節しながら解消させて、適正にシート６を荷台９上で展開させたり、巻き取り収納させることができる。
【００３３】
また、ベルト５を、着脱可能に連結された前側ベルト５０と、後側ベルト５１で形成したので、シート６を巻き取り収納したのち、前側ベルト５０と後側ベルト５１を連結金具５２で分断させて、後側ベルト５１を巻き取るようにすれば、荷台９上には、ベルト５がなくなり、荷物の積み下ろしに際し、ベルト５が邪魔になることがない。
【００３４】
又、ベルト５を、シート６に形成した筒状部６０に挿通させて、ベルト５上にシート６を取り付けるように形成したので、ベルト５に対するシート６の取り付け、取り外しが簡単になり、シート６及びベルト５の補修や交換、洗濯等に便利である。
【００３５】
又、例えば、図１に示すように、荷台９に幌骨９５を取り付けて、この幌骨９５の外面にシート６を張るような場合、仮想線で示すように、支持バー３と後軸４を駆動力（油圧シリンダ３０，４０）で上昇させてシート６を幌骨９５よりも上方に持ち上げる。その状態でシート６を繰り出したり、巻き取ったりすれば、シート６が幌骨９５に擦れることがなく、楽にシート６を繰り出したり、巻き取ったりすることができるし、シート６が破れたり、幌骨９５が変形したりするのを防止できる。
【００３６】
又、シート６を繰り出した後は、実線で示すように支持バー３と後軸４を駆動力（油圧シリンダ３０，４０）で下降させてシート６を幌骨９５に被せてから展開させれば、幌骨９５に対してシート６を簡単かつきれいに被覆させることができるし、支持バー３と後軸４が下降しているため、この支持バー３と後軸４が走行時の風圧抵抗になることはない。
又、シート６を前軸２に巻き取り収納した後も支持バー３と後軸４を駆動力で下降させれば、支持バー３と後軸４が走行時の風圧抵抗になることはない。
【図面の簡単な説明】
【００３７】
【図１】本発明の１実施例である荷台用シート装置を装備した貨物自動車の側面図である。
【図２】その平面図である。
【図３】支持バーを示す正面図である。
【図４】後軸を示す正面図である。
【図５】荷台用シート装置を示す平面図である。
【符号の説明】
【００３８】
Ａ  貨物自動車
１  荷台用シート装置
２  前軸
２０  軸受
２１  正逆転モータ
２１ａ  操作レバー
３  支持バー
３０  油圧シリンダ
３０ａ  操作レバー
３１  ブラケット
３２  ピン
３３  球面滑り軸受
４  後軸
４０  油圧シリンダ
４０ａ  操作レバー
４１  横フレーム
４２  軸受
４３  正逆転モータ
４３ａ  操作レバー
４４  カーテンレール
４５  ブラケット
４６  ピン
４７  ドラム
５  ベルト
５０  前側ベルト
５１  後側ベルト
５２  連結金具
６  シート
６０  筒状部
６２  ゴムバンド
６１  張出部
６３  筒状部
６４  ロープ
９  荷台
９０  後扉
９１  側扉
９２  前板
９２ａ  フレーム
９５  幌骨
【図１】
2006143048.tif 000003
【図２】
2006143048.tif 000004
【図３】
2006143048.tif 000005
【図４】
2006143048.tif 000006
【図５】
2006143048.tif 000007